(57)【要約】【課題】  間仕切用の引戸に使用するのに好適な換気口の機能を有する建具用引手を提供すること。【解決手段】  建具の取付孔に挿入されて取り付けられる引手であって、該引手は外周に建具の表面に面接されるフランジを形成した縦長の矩形状の筒体で、一方の側板から他方の側板方向に向かって延びる風受板を有し、他方の側板と風受板端部との間に形成される隙間を隠す隠蔽板を他方の側板側に形成してあることを特徴とする。【選択図】図３
2007132176.tif 000002
【特許請求の範囲】
【請求項１】
建具の取付孔に挿入されて取り付けられる引手であって、該引手は外周に建具の表面に面接されるフランジを形成した縦長の矩形状の筒体で、一方の側板から他方の側板方向に向かって延びる風受板を有し、他方の側板と風受板端部との間に形成される隙間を隠す隠蔽板を他方の側板側に形成してあることを特徴とする建具用引手
【請求項２】
請求項１に記載される建具用引手において、
前後一対の引手本体の風受板の間に隙間を開閉するシャッタープレートを左右摺動自在に設けたことを特徴とする請求項１記載の建具用引手
【発明の詳細な説明】
【技術分野】
【０００１】  本発明は、換気口の機能を有する建具用引手に関するものである。
【背景技術】
【０００２】
【特許文献１】  実開昭５７−１１９０８８号公報
【発明の開示】
【発明が解決しようとする課題】
【０００３】  換気口の機能を有する建具用引手として、実開昭５７−１１９０８８号公報に襖用の引手が従来技術として記載されている。【０００４】  この引手にあっては、換気口の機能としては何等問題はないが、襖用であるから正面形状が円形であるだけでなく、通気口が正面からまる見えで、襖以外の間仕切用の引戸等に使用した場合は廊下側から室内が素通しになって体裁が悪いという問題点があった。
【発明の目的】
【０００５】  本発明は、特に間仕切用の引戸に使用するのに好適な換気口の機能を有する建具用引手を提供することを目的とするものである。
【課題を解決するための手段】
【０００６】  本発明に係る建具用引手は、建具の取付孔に挿入されて取り付けられる引手であって、該引手は外周に建具の表面に面接されるフランジを形成した縦長の矩形状の筒体で、一方の側板から他方の側板方向に向かって延びる風受板を有し、他方の側板と風受板端部との間に形成される隙間を隠す隠蔽板を他方の側板側に形成してあることを特徴とするものである。
【発明の作用】
【０００７】  本発明では、一対の前後対称の引手を建具の取付孔に前後から挿入して取り付けると、他方の側板と風受板端部との間に形成される隙間が通気口となって換気口として作用し、隠蔽板によって通気口が隠される。
【実施例】
【０００８】  図１は、本発明に係る建具用引手の建具に取り付けた状態の斜視図、図２は、同引手の拡大斜視図、図３は、同引手の横断平面図、図４は、同引手を建具に取り付けた状態の横断平面図、図５は、他の実施例の引手の隙間を閉鎖した状態の要部横断平面図、図６は、同引手の隙間を開放した状態の横断平面図である。【０００９】  図において、１は、本発明に係る建具用引手本体であって、縦長の矩形状の筒体２の外周に建具Ｄの表面に面接されるフランジ２−１が形成されている。【００１０】  ３は、前記筒体２の一方の側板２−２から他方の側板２−３方向に向かって延びる湾曲した手掛部兼用の風受板であって、他方の側板２−３と風受板端部との間に隙間Ｓが形成されている。【００１１】  ４は、正面から見て前記隙間Ｓが見えないようにする手掛部兼用の隠蔽板であって、端部が直角に折り曲げられて手掛部４−１が形成されている。【００１２】  次に、本発明に係る建具用引手本体１、１を引戸等の建具Ｄ取り付ける方法を説明する。【００１３】  即ち、前後対称の引手本体１、１の筒体２、２を予め建具Ｄに形成しておいた引手の取付孔に前後からフランジ２−１、２−１が建具Ｄを挟むように挿入し、前後の引手本体１、１を適宜ネジにて一体化して取り付ける。【００１４】  尚、押入の襖のように裏側から見られる心配のない場合には引手は表側に取り付けるだけでよく、この場合、引手本体１の筒体２の外周に接着剤を塗布して取り付ければよいものである。【００１５】  本発明に係る建具用引手は上記のような構成であるから、他方の側板２−３と風受板３の端部との間に形成された隙間Ｓが通気口となるもので、特に、この引手を間仕切用の引戸に使用した場合、引戸を全閉した状態でも室内の換気を行うことができ、また、正面から見て隙間Ｓを見えないようにする隠蔽板４を設けてあるので、廊下側から室内が素通しになることがなく体裁がよい。【００１６】  また、図５、図６のように、前後の引手本体１、１の風受板３、３の間に隙間Ｓを開閉するシャッタープレート５を、風受板３、３に形成された長孔３−１に案内される摘み５−１を操作することにより左右摺動できるように設けておけば、換気を必要としないときにはシャッタープレート５の摘み５−１を図５のように左側に寄せて隙間Ｓを閉じ、換気を必要とするときにシャッタープレート５の摘み５−１を図６のように右側に寄せ、隙間Ｓを開いて換気を行うということが任意にできるもので、摘み５−１の頭部に花模様の飾り等を付けておけば、引手の装飾にもなるという効果も生じる。
【発明の効果】
【００１７】  以上述べたように、本発明に係る建具用引手によれば、建具の取付孔に挿入されて取り付けられる引手であって、該引手は外周に建具の表面に面接されるフランジを形成した縦長の矩形状の筒体で、一方の側板から他方の側板方向に向かって延びる風受板を有し、他方の側板と風受板端部との間に形成される隙間を隠す隠蔽板を他方の側板側に形成してあるので、従来公知の換気口の機能を有する襖用の引手と比較して建具に取り付けた全体形状もよく、通気口が正面からは見えないだけでなく、廊下側から室内が素通しにならず、特に間仕切用の引戸に使用するのに好適な建具用引手といえるものである。
【００１８】  また、第２実施例のように前後の引手本体の風受板の間に隙間Ｓを開閉するシャッタープレートを左右摺動自在に設けておけば、必要に応じて換気を行うことができるという効果があるものである。
【００１９】  更に、上記引手において、シャッタープレートに変えてサーモスタット板で隙間Ｓを閉じるようにしておき、熱によってサーモスタット板が変形して隙間Ｓが開くようにしておけば、この引手を屋外に設置される密閉型の物置用引戸の引手として使用したとき、物置内が高温になったときに自動的に隙間Ｓが開いて物置内の熱気を自動的に排出して物置内の温度を下げる調温機能付きの物置を提供することもできるものである。
【図面の簡単な説明】
【００２０】
【図１】  本発明に係る建具用引手の建具に取り付けた状態の斜視図である。
【図２】  同引手の拡大斜視図である。
【図３】  同引手の横断平面図である。
【図４】  同引手を建具に取り付けた状態の要部横断平面図である。
【図５】  他の実施例の引手の隙間を閉鎖した状態の要部横断平面図である。
【図６】  同引手の隙間を開放した状態の要部横断平面図である。
【符号の説明】
【００２１】      １          建具用引手本体
２          筒体
３          風受板
４          隠蔽板
５          シャッタープレート
【図１】
2007132176.tif 000003
【図２】
2007132176.tif 000004
【図３】
2007132176.tif 000005
【図４】
2007132176.tif 000006
【図５】
2007132176.tif 000007
【図６】
2007132176.tif 000008